(57)【要約】【課題】２つの無線通信機器同士を互いに接続して識別情報を交換する作業を必要とすることなく、各無線通信機器の識別情報を通信相手先の無線通信機器に登録できるようにすることで相互認証を容易にする。【解決手段】無線伝送システムは、コンテンツ出力装置１に接続される無線送信機２と、表示装置４に接続される無線受信機３とを備え、無線送信機２と無線受信機３との間で無線通信を行うことにより、コンテンツ出力装置１から出力したコンテンツを表示装置４で出力させる。ここで、無線送信機２は、識別情報をコンテンツ出力装置１から取得して記憶し、無線受信機３は、無線送信機２が取得する識別情報と同じ識別情報を表示装置４から取得して記憶する。そして、無線送信機２と無線受信機３は、自身に記憶した識別情報を用いて相互の認証を行って、コンテンツの無線伝送を行う。【選択図】図１
2011077640.tif 000002
【特許請求の範囲】
【請求項１】
コンテンツを出力するコンテンツ出力装置に接続される第１無線通信機器と、表示装置に接続される第２無線通信機器とを備え、前記第１無線通信機器と前記第２無線通信機器との間で無線通信を行うことにより、前記コンテンツ出力装置から出力したコンテンツを前記表示装置で出力させるようにした無線伝送システムであって、
前記第１無線通信機器は、識別情報を前記コンテンツ出力装置から取得して記憶し、前記第２無線通信機器は、前記第１無線通信機器が取得する識別情報と同じ識別情報を、前記表示装置から取得して記憶し、
前記第１無線通信機器と前記第２無線通信機器は、各該無線通信機器に記憶した識別情報を用いて相互の認証を行って、コンテンツの無線伝送を行うことを特徴とする無線伝送システム。
【請求項２】
請求項１に記載の無線伝送システムにおいて、前記第１無線通信機器と前記第２無線通信機器との相互の認証行う際、前記各無線通信機器は、通信相手の無線通信機器から送信された識別情報と、自身が記憶保持する識別情報とが一致するか否かを判別し、一致した場合に前記通信相手の無得線通信機の認証が成功したものと判断し、
前記第１無線通信機器と前記第２無線通信機器とが相互に通信相手を認証したときに、コンテンツの無線伝送を行うことを特徴とする無線伝送システム。
【請求項３】
請求項１または２に記載の無線伝送システムにおいて、
前記第１無線通信機器に接続されるコンテンツ出力装置と、前記第２無線通信装置に接続される表示装置とを有し、
前記コンテンツ出力装置と前記表示装置とは同じ識別情報を予め記憶し、前記コンテンツ出力装置は、前記第１無線通信機器に対して自身が記憶している識別情報を送信するともに、前記表示装置は、前記第２無線通信機器に対して自身が記憶している識別情報を送信することを特徴とする無線伝送システム。
【発明の詳細な説明】
【技術分野】
【０００１】
本発明は、無線伝送システムに関し、より具体的には、コンテンツを出力する装置に接続する無線送信機からコンテンツを出力し、無線送信機から無線伝送を行って無線受信機で受信し、無線受信機に接続される表示装置でコンテンツを出力できるようにした無線伝送システムに関する。
【背景技術】
【０００２】
例えばＳＴＢ（set top box）やレコーダなどの機器から出力されるコンテンツを無線で送信し、これを受信してテレビなどの表示装置にて表示出力させるための無線伝送システムが提供されている。無線伝送システムは、双方向で無線通信を行う２つの無線通信機器を有し、一方の無線通信機器をＳＴＢやレコーダなどのコンテンツ出力装置に接続し、他の無線通信機器をテレビなどの表示装置に接続し、コンテンツ出力機器から出力されたコンテンツを無線伝送して、表示装置にて出力させるものである。
【０００３】
このような無線伝送システムでは、送信側の無線通信機器から送信したコンテンツを、目的とする無線通信機器ではない他の無線通信機器で容易に受信することができないように、無線通信機器に固有の識別情報が付与されている。そして、２つの無線通信機器では、互いに相手の識別情報を予め取得して登録しておく。このようなお互いの識別情報を保持する処理をペアリングと呼んでいる。
【０００４】
実際に無線通信機器同士でコンテンツの送受信を行う場合には、無線通信機器は、互いに自身の識別情報を送信する。そして、相手の識別情報を受信した無線通信装置では、受信した識別情報と、自身に予め登録してある通信相手先の識別情報とを比較して相互に認証を行う。つまり、相手から送信された識別情報と自身が保持している識別情報とが一致した場合には登録された通信相手先であり、認証が成功したものと判断してコンテンツ送受信を許可する。また、識別情報を無線通信にて送信する際には、通常、暗号化して送信される。この場合、識別情報を復号化するための暗号鍵を識別情報とともに送信するようにしている。
【０００５】
上記のような無線通信機器同士の識別情報の設定技術に関して、例えば、特許文献１には、送信装置からケーブル等を利用して受信装置に識別情報を付与して受信装置を認証した後に、無線伝送によるコンテンツ情報の通信を行うことにより、識別情報のセキュリティを保ちつつ、受信装置の容易な追加を可能とするための伝送システムが開示されている。この受信装置は、導体を介して送信装置から識別情報を取得する入力部と、識別情報が復号を許可する場合、送信装置から無線伝送された情報を受信し復号する受信部とを備えている。
【０００６】
また、特許文献２には、コンテンツ信号の無線通信を行う場合に、相手の装置の登録や認証を行うコンテンツ通信システムが開示されている。このシステムは、コンテンツ信号出力装置を接続するための通信装置のインタフェースと、コンテンツ提示装置を接続するための通信装置のインタフェースを有線で接続し、識別情報や鍵情報の交換を通信装置で行う。その後、インタフェースから供給されたコンテンツ信号を無線信号として送信し、受信されたコンテンツ信号をインタフェースからコンテンツ提示装置に供給する場合、交換された識別情報を、第２の無線信号として通信装置で交換して、交換された識別情報を登録されている識別情報と照合して認証を行う。
【先行技術文献】
【特許文献】
【０００７】
【特許文献１】特開２００５−９４０９６号公報
【特許文献２】特開２００５−２４４４７６号公報
【発明の概要】
【発明が解決しようとする課題】
【０００８】
上記のように、無線通信によりコンテンツを伝送するシステムにおいては、お互いの識別情報を保持し、コンテンツの通信時に通信相手先の識別情報を交換して相互に認証することによって、予め定められた通信相手先とのみ通信できるようにしている。そしてこれによって、無線送信されているコンテンツを第３者が容易に受信することができないようにしている。
【０００９】
また、通信相手先の識別情報を自身の無線通信機器に登録する場合、例えば、無線通信機器を製造する際に、予め特定の識別情報を無線通信機器に付与して登録しておき、特定の識別情報のペアをもつ２つの無線通信機器間でのみコンテンツの無線伝送を可能とする手法もとられている。しかしながら、この場合には製造・流通・サービスなどの工程において、２つの無線通信機器を常にペアとして管理する必要が生じ、対応が煩雑となる。
【００１０】
また、上記特許文献１、及び特許文献２の技術では、無線通信を行う２つの無線通信機器を一旦有線ケーブルで相互に接続し、その有線ケーブルを介して互いの識別情報を交換させる必要があった。このような作業はユーザにとって煩わしく、特に１つの無線通信機器が互いに遠く離れて設置された場合など、無線通信機器の移動を伴う識別情報の交換作業はユーザにとって面倒である。また、無線通信機器には、識別情報を交換するためのインタフェースやスイッチ類がさらに必要となる、という課題も生じる。
【００１１】
本発明は、上述のごとき実情に鑑みてなされたものであり、コンテンツ出力装置に接続する無線通信機器と、表示装置に接続する無線通信機器とでコンテンツを伝送するシステムにおいて、２つの無線通信機器同士を互いに接続して識別情報を交換する作業を必要とすることなく、無線通信機器同士の通信に用いる識別情報を各無線通信機器に登録することで、無線通信機器の相互認証を容易に行うことができるようにしたコンテンツ伝送システムを提供することを目的とする。
【課題を解決するための手段】
【００１２】
上記課題を解決するために、本発明の第１の技術手段は  コンテンツを出力するコンテンツ出力装置に接続される第１無線通信機器と、表示装置に接続される第２無線通信機器とを備え、第１無線通信機器と前記第２無線通信機器との間で無線通信を行うことにより、コンテンツ出力装置から出力したコンテンツを表示装置で出力させるようにした無線伝送システムであって、第１無線通信機器は、識別情報をコンテンツ出力装置から取得して記憶し、第２無線通信機器は、第１無線通信機器が取得する識別情報と同じ識別情報を、表示装置から取得して記憶し、第１無線通信機器と第２無線通信機器は、各無線通信機器に記憶した識別情報を用いて相互の認証を行って、コンテンツの無線伝送を行うことを特徴としたものである。
【００１３】
第２の技術手段は、第１の技術手段において、第１無線通信機器と第２無線通信機器との相互の認証行う際、各無線通信機器は、通信相手の無線通信機器から送信された識別情報と、自身が記憶保持する識別情報とが一致するか否かを判別し、一致した場合に通信相手の無得線通信機の認証が成功したものと判断し、第１無線通信機器と第２無線通信機器とが相互に通信相手を認証したときに、コンテンツの無線伝送を行うことを特徴としたものである。
【００１４】
第３の技術手段は、第１または第２の技術手段において、第１無線通信機器に接続されるコンテンツ出力装置と、第２無線通信装置に接続される表示装置とを有し、コンテンツ出力装置と表示装置とは同じ識別情報を予め記憶し、コンテンツ出力装置は、第１無線通信機器に対して自身が記憶している識別情報を送信するともに、表示装置は、第２無線通信機器に対して自身が記憶している識別情報を送信することを特徴としたものである。
【発明の効果】
【００１５】
本発明によれば、コンテンツ出力機器に接続する無線通信機器と、表示装置に接続する無線通信機器とでコンテンツを伝送するシステムにおいて、２つの無線通信機器同士を互いに接続して識別情報を交換する作業を必要とすることなく、無線通信機器同士の通信に用いる識別情報を各無線通信機器に登録することで、無線通信機器の相互認証を容易に行うことができるようにしたコンテンツ伝送システムを提供することができる。
また、本発明によれば、２つの無線通信機器を常にペアで管理する必要がなくなり、製造・流通・サービス等における対応が簡略化される。また、無線通信機器同士で識別情報を交換する必要がないため、インタフェースやスイッチ類を削減することができる。
【図面の簡単な説明】
【００１６】
【図１】本発明による無線伝送システムの一実施形態を概念的に説明するための図である。
【図２】図１の無線伝送システムにおいて、コンテンツを伝送するときの処理を説明するための図である。
【図３】本発明による無線伝送システムの各装置の機能を示すブロック図である。
【図４】本発明に係る無線伝送システムにおけるコンテンツの伝送処理のフローを説明するための図である。
【図５】無線通信機器の起動時の認証処理の一例を説明するためのフローチャートである。
【図６】無線通信機器のケーブル再接続時の認証処理の一例を説明するためのフローチャートである。
【発明を実施するための形態】
【００１７】
図１は、本発明による無線伝送システムの一実施形態を概念的に説明するための図である。無線伝送システムは、コンテンツを出力するコンテンツ出力装置１と、コンテンツ出力装置１に接続される無線送信機２と、表示装置４と、表示装置４に接続される無線受信機３とを備えている。
無線送信機２及び無線受信機３は、双方向通信が可能な無線通信装置であるが、説明のため、コンテンツを送信する無線送信機２と、コンテンツを受信する無線受信機３として説明する。これら無線送信機２、無線受信機３は、それぞれ本発明の第１無線通信機器、第２無線通信機器に相当するものである。
【００１８】
コンテンツ出力装置１は、映像・音声によるコンテンツを出力する装置であり、例えば、ＳＴＢ（set top box）などのチューナ機器や、ＢＤ，ＤＶＤ等の媒体を用いた各種レコーダやプレーヤ、あるいはゲーム機器などを適用することができる。コンテンツ機器から出力されたコンテンツは、無線送信機２に転送される。この例では、コンテンツ出力装置１と無線送信機２とはＨＤＭＩ（High-Definition Multimedia Interface）ケーブルによって接続されている。従って、コンテンツ出力装置１は、ＨＤＭＩ規格でいうソース機器に該当する。なお、コンテンツ出力装置１と無線送信機２との接続は、ＨＤＭＩケーブルに限定されるものではなく、コンテンツを伝送可能なインタフェースを適宜採用してもよい。
【００１９】
無線送信機２から無線送信されたコンテンツは、無線受信機３で受信され、表示装置４に転送されて表示装置４に表示される。無線受信機３と表示装置４との間もＨＤＭＩケーブルで接続されるが、他のインタフェースを採用してもよい。表示装置４は、映像を表示し、音声出力が可能な機器であり、例えばモニタ、テレビ装置、あるいはＰＣなどが適用される。表示装置４は、ＨＤＭＩ規格でいうシンク機器に該当する。
【００２０】
本発明に係る実施形態では、コンテンツ出力装置１に対して、無線送信機２で使用するための識別情報を予め記憶させておく。また、これとともに、表示装置４には、無線受信機３で使用するための識別情報を予め記憶させておく。そして、これらの識別情報は共通のものとする。識別情報の記憶処理は、これらコンテンツ出力装置１と表示装置４の製造時に行っておくものとするが、これら装置の製造後に記憶処理を行うものであってもよい。
【００２１】
そして、ユーザは、無線送信機２及び無線受信機３と、コンテンツ出力装置１及び表示装置４を用意し、図１に示すような形態で接続を行う。このときに、無線送信機２では、コンテンツ出力装置１が記憶している識別情報を取得し、自身の記憶手段に記憶保持する。一方、無線受信機３は、表示装置４が記憶している識別情報を取得し、自身の記憶手段に記憶保持する。これにより、無線送信機２及び無線受信機３は、共通の識別情報を記憶することになる。
【００２２】
図２は、図１の無線伝送システムにおいて、コンテンツを伝送するときの処理を説明するための図である。上記の識別情報の取得処理によって、無線送信機２と無線受信機３が共通の識別情報を記憶保持すると、実際のコンテンツの伝送を行うことができるようになる。この場合、まず図２（Ａ）に示すように、無線送信機２と無線受信機３は、識別情報を使用して相互認証を行う。ここでは、無線送信機２は自身が保持する識別情報を相手に送信し、これを受信した無線受信機３が、予め保持している識別情報と照合して、一致すれば認証が成功したものとして無線送信機２に応答を返す。
無線受信機３についても同様に、自身が保持する識別情報を相手に送信し、これを受信した無線送信機２が、予め保持している識別情報と照合して、一致すれば認証が成功したものして無線受信機３に応答を返す。これにより無線送信機２と無線受信機３との相互認証が完了する。
【００２３】
そして、図２（Ｂ）に示すように、コンテンツ出力装置１から出力された映像・音声信号によるコンテンツが無線送信機２から送信され、無線受信機３で受信される。受信されたコンテンツは、表示装置４に転送され、表示装置４で表示され、音声出力される。
【００２４】
このようなシステムによって、２つの無線通信機器同士を有線等で接続して識別情報を交換する作業を必要とすることなく、各無線通信機器に通信に使用するための識別情報を各無線通信機器に登録することができ、この識別情報を使用して相互認証を行って、コンテンツの伝送を行うことができるようになる。
【００２５】
例えば、コンテンツ出力装置１がＳＴＢであり、表示装置４がモニタであれば、ユーザは、ＳＴＢとモニタをセットで取得し、ＳＴＢで受信したコンテンツをモニタで表示させるためにさらに無線送信機２と無線受信機３を取得する。このような場合には、ＳＴＢとモニタのそれぞれに対して、共通の識別情報を保持させておくことにより、上記のような識別情報の認証処理が可能となる。無線送信機２と無線受信機３には、無線通信のための識別情報を登録しておく必要がないため、無線送信機２と無線受信機３を流通等において常にペアで管理する必要はない。
【００２６】
図３は、本発明による無線伝送システムの各装置の要部の機能を示すブロック図で、図中、１はコンテンツを出力するコンテンツ出力装置、２は第１無線通信機器に相当する無線送信機、３は第２無線通信機器に相当する無線受信機、４は表示装置である。
無線送信機２と無線受信機３とは無線通信により接続され、これら無線送信機２，無線受信機３により１つのリピータ機器を構成する。無線受信機３は表示装置４にＨＤＭＩ接続され、無線送信機２はコンテンツ出力装置１にＨＤＭＩ接続される。そして、無線送信機２と無線受信機３との間で無線通信を行うことにより、コンテンツ出力装置１から出力された映像及び音声によるコンテンツを表示装置４で出力するように構成される。
【００２７】
コンテンツ出力装置１は、映像及び音声を出力可能な機器であればよく、上述したように、ＳＴＢなどのチューナ機器や，ＢＤ，ＤＶＤ等の各種レコーダやプレーヤ、ゲーム機器などが適用される。
【００２８】
コンテンツ出力装置１は、ＨＤＭＩ出力部１１を備え、無線送信機２とＨＤＭＩ接続される。ＨＤＭＩ出力部１１は、ＨＤＭＩケーブルを接続するためのＨＤＭＩ Ｉ／Ｆである。ＨＤＭＩケーブルには、機器間で共通の制御信号（ＣＥＣメッセージ）を伝送する双方向バスであるＣＥＣラインを含む。また、ＨＤＭＩケーブルには、ＣＥＣラインの他に、デジタル信号である映像・音声信号のストリームを差動方式で伝送するためのＴＭＤＳラインや、ＥＤＩＤ（Extended Display Identification Data）の伝送やＨＤＣＰ（High-bandwidth Digital Content Protection）認証に使用する認証用メッセージの伝送等に利用されるＤＤＣ（Display Data Channel）ラインなどが含まれる。
【００２９】
コンテンツ出力装置１は、無線送信機２で通信に用いるための識別情報を予め記憶するメモリ１３と、識別情報の送信処理を制御する制御部１２とを有している。制御部１２によってメモリ１３から読み出された識別情報は、ＨＤＭＩ出力部１１によって無線送信機２に出力される。識別情報の送信は、ＣＥＣラインを用いて行われる。
また、コンテンツ出力装置１は、その態様に応じてコンテンツを出力するための構成を備えているが、ここでの説明は省略する。コンテンツ出力装置１から出力されるコンテンツは、ＨＤＭＩ出力部１１からＴＭＤＳラインによって無線送信機２に送信される。
【００３０】
無線送信機２は、ＨＤＭＩ入力部２１、制御部２２、ＨＤＭＩ通信処理部２３、無線通信部２４、及びメモリ２５を備える。ＨＤＭＩ入力部２１は、ＨＤＭＩケーブルを接続してコンテンツ出力装置１にＨＤＭＩ接続するためのＨＤＭＩ Ｉ／Ｆである。ＨＤＭＩ出力部１１とＨＤＭＩ入力部２１とのＨＤＭＩケーブルによる接続によって、コンテンツ出力装置１と無線送信機２とはＣＥＣメッセージを双方向で送受可能となる。
【００３１】
制御部２２は、ＨＤＭＩ入力部２１から伝送されるＣＥＣメッセージを解読し、必要に応じてコンテンツ出力装置１に応答を返すと共に、解読したＣＥＣメッセージを必要に応じて無線通信部２４に出力する。また、制御部２２は、無線通信部２４から伝送されてくるＣＥＣメッセージを解読して、解読したＣＥＣメッセージをＨＤＭＩ入力部２１に送り、ＨＤＭＩ入力部２１からコンテンツ出力装置１に送信する。
【００３２】
ＨＤＭＩ通信処理部２３は、ＨＤＭＩ入力部２１から入力された映像及び音声を取得し、これら映像及び音声を分離して無線通信部２４に出力する。無線通信部２４は、ＨＤＭＩ通信処理部２３から出力された映像と音声を取得し、さらに、制御部２２からＣＥＣメッセージを取得して、これらの映像、音声、及びＣＥＣメッセージを無線伝送可能なフォーマットに変換し、無線受信機３に無線伝送する。
【００３３】
表示装置４は、映像を表示し音声を出力可能な機器であればよく、上述したように、モニタやテレビ装置、ＰＣなどが適用される。
表示装置４は、ＨＤＭＩ入力部４１を備え、無線受信機３とＨＤＭＩ接続される。ＨＤＭＩ入力部４１は、ＨＤＭＩケーブルを接続するためのＨＤＭＩ Ｉ／Ｆである。つまり、ＨＤＭＩ入力部４１は、ＨＤＭＩケーブルに含まれる各ライン（ＣＥＣライン，ＴＭＤＳライン，ＤＤＣライン）と接続している。
【００３４】
表示装置４は、無線受信機３で通信に使用する識別情報を予め記憶するメモリ４３と、識別情報の送信処理を制御する制御部４２とを有している。メモリ４３が保持する識別情報は、コンテンツ出力装置１が保持している識別情報を同じものである。
制御部４２によってメモリ４３から読み出された識別情報は、ＨＤＭＩ入力部４１によって無線受信機３に出力される。識別情報の送信は、ＣＥＣラインを用いて行われる。また、表示装置４は、その態様に応じてコンテンツを出力（表示、音声出力等）するための構成を備えているが、ここでの説明は省略する。
【００３５】
無線受信機３は、無線通信部３１、制御部３２、ＨＤＭＩ通信処理部３３、ＨＤＭＩ出力部３４、及びメモリ３５を備える。無線通信部３１は、無線送信機２から無線伝送された映像、音声、及びＣＥＣメッセージを受信すると、これらの映像、音声、及びＣＥＣメッセージをＨＤＭＩ形式に合致したフォーマットに変換し、ＨＤＭＩ通信処理部３３へ出力する。また、ＣＥＣメッセージは制御部３２に出力する。
【００３６】
制御部３２は、ＨＤＭＩ出力部３４から伝送されてくるＣＥＣメッセージを解読し、必要に応じて表示装置４に対する応答を返すと共に、解読したＣＥＣメッセージを必要に応じて無線通信部３１に出力する。また、制御部３２は、無線通信部３１から伝送されてくるＣＥＣメッセージを解読して、解読したＣＥＣメッセージをＨＤＭＩ出力部３４に送り、ＨＤＭＩ出力部３４から表示装置４に送信する。
【００３７】
ＨＤＭＩ通信処理部３３は、無線通信部３１から入力された映像及び音声を取得し、これら映像及び音声をＨＤＭＩ出力部３４に出力する。ＨＤＭＩ出力部３４は、ＨＤＭＩケーブルを接続して表示装置４とＨＤＭＩ接続するためのＨＤＭＩ Ｉ／Ｆである。ＨＤＭＩ出力部３４は、ＨＤＭＩ通信処理部３３から映像及び音声を入力し、制御部３２からＣＥＣメッセージを取得して、表示装置４に出力する。
【００３８】
上記のごとくの構成により、コンテンツ出力装置１のメモリ１３には、予め無線送信機２で通信に使用する識別情報が記憶される。また、表示装置４のメモリ４３には、予め無線受信機３で通信に使用する識別情報が記憶される。これらの識別情報は共通のものである。そして図３のような構成で接続が行われると、無線送信機２では、コンテンツ出力装置１が記憶している識別情報を取得し、自身のメモリ２５に記憶保持する。一方、無線受信機３は、表示装置４が記憶している識別情報を取得し、自身のメモリ３５に記憶保持する。これにより、無線送信機２と無線受信機３との間で識別情報の交換処理を行うことなく、無線送信機２と無線受信機３とに共通の識別情報を記憶することができる。
【００３９】
図４は、本発明に係る無線伝送システムにおけるコンテンツの伝送処理のフローを説明するための図である。無線送信機２が起動し、もしくはコンテンツ出力装置１に接続するケーブル（ここではＨＤＭＩケーブル）が再接続されると、無線送信機２は、コンテンツ出力装置１からの識別情報の取得処理を行う。ここでは、まず無線送信機２からコンテンツ出力装置１に対して、識別情報と、その識別情報の暗号化・復号化に用いる暗号鍵とを要求する（ステップＳ１）。これに対してコンテンツ出力装置１は、自身が保持している識別情報と、その識別情報を暗号化・復号化するための暗号鍵とを無線送信機２に送信する（ステップＳ２）。無線送信機２では、コンテンツ出力装置１から送信された識別情報と暗号鍵とを記憶保持する。
【００４０】
一方、無線受信機３と表示装置４との間でも同様の処理が行われる。つまり、無線受信機３が起動し、もしくは表示装置４に接続するケーブル（ここではＨＤＭＩケーブル）が再接続されると、無線受信機３は、表示装置４からの識別情報と暗号鍵の取得処理を行う。ここでは、まず無線受信機３から表示装置４に対して、識別情報と、その識別情報の暗号化・復号化に用いる暗号鍵とを要求する（ステップＳ３）。これに対して表示装置４は、自身が保持している識別情報と、その識別情報を暗号化・復号化するための暗号鍵とを無線受信機３に送信する（ステップＳ４）。無線受信機３では、表示装置４から送信された識別情報と暗号鍵とを記憶保持する。
【００４１】
無線送信機２と無線受信機３とが識別情報と暗号鍵を取得すると、無線送信機２から無線受信機３に対して、暗号化した識別情報を送信する（ステップＳ５）。これに対して、無線受信機３は、自身が保持する暗号鍵で識別情報を復号化して、自身が記憶している識別情報と照合する。そしてこれらが一致すれば、認証が成功したものとして無線送信機２に対してＡｃｋを返す（ステップＳ６）。
次に無線受信機３は、無線送信機２に対して、暗号化した識別情報を送信する（ステップＳ７）。これに対して、無線送信機２は、自身が保持する暗号鍵で識別情報を復号化して、自身が記憶している識別情報と照合する。そしてこれらが一致すれば、認証が成功したものとして無線受信機３に対してＡｃｋを返す（ステップＳ８）。これにより、無線送信機２と無線受信機３との間の相互の認証が完了する。
【００４２】
この後、実際にコンテンツ出力装置１からコンテンツを出力し、表示装置４で表示させる処理を開始することができる。ここでは、ＨＤＣＰ認証を行った後、映像・音声によるコンテンツの伝送を開始する。ＨＤＣＰは、映像再生機器からディスプレイなどの表示装置にデジタル信号を送受信する経路を暗号化し、コンテンツが不正にコピーされるのを防止する著作権保護技術（コピーガード）のひとつであり、ＨＤＭＩのデジタルインターフェースの暗号化に用いられているものである。コンテンツ伝送のための認証・通信処理は従来と同様の処理であり、本発明を特徴付ける処理はないため、詳細な処理の説明は省略する。
【００４３】
図５は、無線通信機器（無線送信機、無線受信機）の起動時の認証処理の一例を説明するためのフローチャートである。このフローは、無線送信機２及び無線受信機３のいずれに対しても適用される処理である。以下、これらを総称する無線通信機器として説明する。まず、無線通信機器が起動すると、無線通信機器では、有線で接続された機器があるかどうかを判別する（ステップＳ１１）。有線とは、この場合、ＨＤＭＩケーブルを指し、有線で接続された機器はＨＤＭＩ接続されたソース機器（コンテンツ出力装置１）またはシンク機器（表示装置４）を指す。無線通信機器は、有線で接続された機器があれば、その有線接続機器に対してＣＥＣメッセージによって識別情報と暗号鍵を要求し（ステップＳ１２）、有線接続機器から取得した識別情報と暗号鍵を自身の無線通信機内に保持する（ステップＳ１３）。
【００４４】
次に無線通信機器では、暗号鍵で識別情報を暗号化し、無線信号として送信する（ステップＳ１４）。そして、送信した無線信号に対して相手の無線通信機器からＡｃｋがあるか否かを確認し（ステップＳ１５）、Ａｃｋがあれば、続いて相手の無線通信機器から送信される暗号化された識別情報を受け取り、その識別情報が正しいか否かを判別する（ステップＳ１６）。ここでは、無線通信機器は、相手の無線通信機器から送信された識別情報を自身が保持する暗号鍵で復号し、復号した識別情報と、ステップＳ１３で有線接続機器から取得した識別情報とを照合し、一致していれば相手の無線通信機器から送信された識別情報が正しいものであると判断する。
【００４５】
相手の無線通信機器から送信された識別情報が正しくなければ、ステップＳ１４に戻って、再度、暗号鍵で識別情報を暗号化して、無線信号として送信する。また、相手の無線通信機器から送信された識別情報が正しければ、無線通信機器は相手の無線通信機器に対してＡｃｋを返す（ステップＳ１７）。これにより相手の無線通信機器の認証が成功する。この後、コンテンツ出力装置１と表示装置４との認証処理を行って（ＨＤＣＰ認証）、映像、音声、ＤＩＰの無線伝送を開始する（ステップＳ１８）。ＤＩＰ（Data Island Packet）には、シンク機器（コンテンツ出力装置１）の調光や音量などの制御情報が格納されている。
【００４６】
一方、ステップＳ１５で相手の無線通信機器からＡｃｋがない場合、相手の無線通信機器から送信された識別情報を受け取り、その識別情報が正しいか否かを判別する（ステップＳ１９）。ここでは、無線通信機器は、相手の無線通信機器から送信された識別情報を自身が保持する暗号鍵で復号し、復号した識別情報と、ステップＳ１３で有線接続機器から取得した識別情報とを照合し、一致していれば相手の無線通信機器から送信された識別情報が正しいものであると判断する。
【００４７】
相手の無線通信機器から送信された識別情報が正しくなければ、ステップＳ１４に戻って、再度、暗号鍵で識別情報を暗号化して、無線信号として送信する。また、相手の無線通信機器から送信された識別情報が正しければ、無線通信機器は相手の無線通信機器に対してＡｃｋを返す（ステップＳ２０）。そして、再度、自身が保持している暗号鍵で識別情報を暗号化し、無線信号として送信する（ステップＳ２１）。これに対して、相手の無線通信機器からのＡｃｋがあるかどうかを判別し（ステップＳ２２）、Ａｃｋがなければ、ステップＳ１４に戻って、再度、暗号鍵で識別情報を暗号化して、無線信号として送信する。また、Ａｃｋがあれば相手の無線通信機器の認証が成功する。この後、コンテンツ出力装置１と表示装置４との認証処理を行って、映像、音声、ＤＩＰの無線伝送を開始する（ステップＳ１８）。
【００４８】
図６は、無線通信機器（無線送信機、無線受信機）のケーブル再接続時の認証処理の一例を説明するためのフローチャートである。このフローについても、無線送信機２及び無線受信機３のいずれに対しても適用される。以下、これらを総称する無線通信機器として説明する。
まず、無線通信機器が無線伝送中の状態で、有線で接続された機器との有線が切断し、再接続があったかを判別する（ステップＳ３１）。有線とは、この場合、ＨＤＭＩケーブルを指し、有線で接続された機器はＨＤＭＩ接続されたソース機器（コンテンツ出力装置１）またはシンク機器（表示装置４）を指す。そして、有線の接続の切断及び再接続があれば、無線通信機器は、再接続された有線接続機器に対してＣＥＣメッセージによって識別情報と暗号鍵を要求し、取得する（ステップＳ３２）。そして、無線通信機器では、有線接続機器から取得した識別情報及び暗号鍵が、すでに自身に保持している識別情報及び暗号鍵と同じものであるか否かを判別する（ステップＳ３３）。取得した識別情報及び暗号鍵と、自身が保持している識別情報及び暗号鍵とが一致すれば、コンテンツ出力装置１と表示装置４との認証処理を行って（ＨＤＣＰ認証）、映像、音声、ＤＩＰの無線伝送を再開する（ステップＳ３４）。
【００４９】
また、ステップＳ３３で、有線接続機器から取得した識別情報及び暗号鍵と、自身が保持している識別情報及び暗号鍵が一致しなかった場合には、無線通信機器は、無線通信を切断し、無線通信機器の認証をやりなおす（ステップＳ３５）。この場合、無線通信機器は、暗号鍵で識別情報を暗号化し、無線信号として送信する（ステップＳ３６）。そして、送信した無線信号に対して相手の無線通信機器からＡｃｋがあるか否かを確認し（ステップＳ３７）、Ａｃｋがあれば、続いて相手の無線通信機器から送信される暗号化された識別情報を受け取り、その識別情報が正しいか否かを判別する（ステップＳ３８）。ここでは、無線通信機器は、相手の無線通信機器から送信された識別情報を自身が保持する暗号鍵で復号し、復号した識別情報と、ステップＳ３２で有線接続機器から取得した識別情報とを照合し、一致していれば相手の無線通信機器から送信された識別情報が正しいものであると判断する。
【００５０】
相手の無線通信機器から送信された識別情報が正しくなければ、ステップＳ３６に戻って、再度、暗号鍵で識別情報を暗号化して、無線信号として送信する。また、相手の無線通信機器から送信された識別情報が正しければ、無線通信機器は相手の無線通信機器に対してＡｃｋを返す（ステップＳ３９）。これにより相手の無線通信機器の認証が成功する。この後、コンテンツ出力装置と表示装置との認証処理を行って、映像、音声、ＤＩＰの無線伝送を開始する（ステップＳ３４）。
【００５１】
一方、ステップＳ３７で相手の無線通信機器からＡｃｋがない場合、無線通信機器は、さらに相手の無線通信機器から送信された識別情報を受け取り、その識別情報が正しいか否かを判別する（ステップＳ４０）。ここでは、無線通信機器は、相手の無線通信機器から送信された識別情報を自身が保持する暗号鍵で復号し、復号した識別情報と、ステップＳ３２で有線接続機器から取得した識別情報とを照合し、一致していれば相手の無線通信機器から送信された識別情報が正しいものであると判断する。
【００５２】
相手の無線通信機器から送信された識別情報が正しくなければ、ステップＳ３６に戻って、再度、鍵情報で識別情報を暗号化して、無線信号として送信する。また、相手の無線通信機器から送信された識別情報が正しければ、無線通信機器は相手の無線通信機器に対してＡｃｋを返す（ステップＳ４１）。そして、再度、自身が保持している暗号鍵で識別情報を暗号化し、無線信号として送信する（ステップＳ４２）。これに対して、相手の無線通信機器からのＡｃｋがあるかどうかを判別し（ステップＳ４３）、Ａｃｋがなければ、ステップＳ１４に戻って、再度、暗号鍵で識別情報を暗号化して、無線信号として送信する。また、Ａｃｋがあれば相手の無線通信機器の認証が成功する。この後、コンテンツ出力装置１と表示装置４との認証処理を行って、映像、音声、ＤＩＰの無線伝送を開始する（ステップＳ３４）。
【符号の説明】
【００５３】
１…コンテンツ出力装置、２…無線送信機、３…無線受信機、４…表示装置、１１…ＨＤＭＩ出力部、１２…制御部、１３…メモリ、２１…ＨＤＭＩ入力部、２２…制御部、２３…ＨＤＭＩ通信処理部、２４…無線通信部、２５…メモリ、３１…無線通信部、３２…制御部、３３…ＨＤＭＩ通信処理部、３４…ＨＤＭＩ出力部、３５…メモリ、４１…ＨＤＭＩ入力部、４２…制御部、４３…メモリ。
【図１】
2011077640.tif 000003
【図２】
2011077640.tif 000004
【図３】
2011077640.tif 000005
【図４】
2011077640.tif 000006
【図５】
2011077640.tif 000007
【図６】
2011077640.tif 000008